(57)【要約】【課題】乳幼児に対して快適な睡眠環境を与える機能を付加した育児器具用頭部保護パッドを提供する。【解決手段】育児器具用頭部保護パッド１０は、上部パッド部２０と、一対の側部パッド部３０と、各側部パッド部３０内に収容され、オーディオ装置から供給される音声信号を音に変換するスピーカーユニット４０とを備える。【選択図】図２
0003126894.tif 000002
【実用新案登録請求の範囲】
【請求項１】
育児器具のベッドまたは座席上に受入れられた乳幼児の頭部を保護するために、育児器具上に置かれる頭部保護パッドであって、
乳幼児の頭頂部に対面する上部パッド部と、
乳幼児の両側頭部に対面する一対の側部パッド部と、
前記各側部パッド部内に収容され、オーディオ装置から供給される音声信号を音に変換するスピーカーユニットとを備える、育児器具用頭部保護パッド。
【請求項２】
前記各側部パッド部は、乳幼児の耳に対面する領域に貫通穴を有し、
前記スピーカーユニットは、前記貫通穴内に配置される、請求項１に記載の育児器具用頭部保護パッド。
【請求項３】
前記オーディオ装置は、前記上部パッド部内に収容されている、請求項１または２に記載の育児器具用頭部保護パッド。
【請求項４】
前記上部パッド部および前記各側部パッド部には、前記オーディオ装置と前記スピーカーユニットとを接続する信号線を収納する配線溝が設けられている、請求項３に記載の育児器具用頭部保護パッド。
【請求項５】
当該頭部保護パッドは、防音性に優れた材料で構成されている、請求項１〜４のいずれかに記載の育児器具用頭部保護パッド。
【考案の詳細な説明】
【技術分野】
【０００１】
この考案は、乳幼児用ベッド、乳母車、自動車用子供安全座席等のベッドまたは座席付育児器具上に置かれて乳幼児の頭部を保護するための育児器具用頭部保護パッドに関するものである。
【背景技術】
【０００２】
この種の頭部保護パッドは、例えば、特開２００４−３５０７６９号公報（特許文献１）に開示されている。この公報に開示された頭部保護パッドは、逆Ｕ字形状の全体形状を有している。具体的には、頭部保護パッドは、乳幼児の頭頂部に対面する上部パッド部と、乳幼児の両側頭部に対面する一対の側部パッド部とを備える。
【０００３】
頭部保護パッドの機能は、主として、次の点にある。
【０００４】
（ａ）乳幼児の頭部に対して衝撃が及ぶのを防止すること。
【０００５】
（ｂ）乳幼児の頭部を取り囲む育児器具の壁面と乳幼児の頭部との間の隙間を埋めることにより乳幼児の頭部の位置を安定して保持すること。
【０００６】
（ｃ）乳幼児の頭部の位置を安定して保持することにより、乳幼児の身体全体の姿勢を良好に保持すること。
【特許文献１】特開２００４−３５０７６９号公報
【考案の開示】
【考案が解決しようとする課題】
【０００７】
本考案の目的は、上記の機能のほかに、乳幼児に対して快適な睡眠環境を与える機能を付加した育児器具用頭部保護パッドを提供することである。
【課題を解決するための手段】
【０００８】
この考案に従った育児器具用頭部保護パッドは、育児器具のベッドまたは座席上に受入れられた乳幼児の頭部を保護するために、育児器具上に置かれるものであって、乳幼児の頭頂部に対面する上部パッド部と、乳幼児の両側頭部に対面する一対の側部パッド部と、各側部パッド部内に収容され、オーディオ装置から供給される音声信号を音に変換するスピーカーユニットとを備える。
【０００９】
上記構成の本考案によれば、乳幼児の両耳の近くに位置するスピーカーユニットを通して、乳幼児に心休まる温かい音を聞かせてあげられるので、乳幼児は気持ちを落ち着かせ、心地良い睡眠をとることが可能になる。
【００１０】
好ましくは、頭部保護パッドは、防音性に優れた材料で構成されている。一つの実施形態では、各側部パッド部は、乳幼児の耳に対面する領域に貫通穴を有しており、スピーカーユニットは、貫通穴内に配置される。保護パッド自体を防音性に優れた材料で構成することにより、乳幼児に対して睡眠の妨げとなる騒音やノイズを遮断できるので、乳幼児に快適な睡眠環境を与えることができる。側部パッド部が貫通穴を有するものであっても、スピーカーユニットが貫通穴を閉じることにより、良好な防音性を維持できる。
【００１１】
好ましい実施形態では、オーディオ装置は、上部パッド部内に収容されている。この場合、上部パッド部および前記各側部パッド部に、オーディオ装置とスピーカーユニットとを接続する信号線を収納する配線溝を設けるようにしてもよい。
【考案を実施するための最良の形態】
【００１２】
図１および図２は、この考案の一実施形態に係る育児器具用頭部保護パッド１０を示している。この頭部保護パッド１０は、乳幼児用ベッド、乳母車、自動車用子供安全座席等のベッドまたは座席付育児器具の上に置かれて乳幼児の頭部を保護するためのものである。
【００１３】
頭部保護パッド１０は、ほぼ逆Ｕ字形状の形態を有しており、乳幼児の頭頂部に対面する上部パッド部２０と、乳幼児の両側頭部に対面する一対の側部パッド部３０とを備える。乳幼児の睡眠の妨げとなる騒音やノイズを遮断するために、好ましくは、頭部保護パッド１０は、防音性に優れた材料で構成される。
【００１４】
頭部保護パッド１０は、乳幼児の頭部に対して衝撃が及ぶのを防止する機能と、乳幼児の頭部を取り囲む育児器具の壁面と乳幼児の頭部との間の隙間を埋めることにより乳幼児の頭部の位置を安定して保持する機能と、乳幼児の頭部の位置を安定して保持することにより乳幼児の身体全体の姿勢を良好に保持する機能とを有しているが、さらにそれらの機能に加えて、乳幼児に対して快適な睡眠環境を与える機能も有している。
【００１５】
快適な睡眠環境を与える機能を持たせるために、頭部保護パッド１０は、各側部パッド部３０内に収容され、オーディオ装置から供給される音声信号を音に変換するスピーカーユニット４０を備える。一対のスピーカーユニット４０は乳幼児の両耳の近くに位置するので、このスピーカーユニットを通して乳幼児に心休まる温かい音を聞かせてあげられる。それにより、乳幼児は気持ちを落ち着かせて心地良い睡眠をとることができる。心休まる温かい音として、例えば、水の流れる音等の自然界の音、母親の声等がある。
【００１６】
具体的な構造について、さらに詳細に説明する。
【００１７】
図２に示すように、各側部パッド３０には、乳幼児の両耳に対面する領域に、幅方向に延びる貫通穴３１が設けられている。各貫通穴３１の内側開口となる各側部パッド部３０の内壁面３２は、内側に大きく抉れた形状を有している。これは、乳幼児が横を向いたときに各側部パッド３０の壁面３２が乳幼児の鼻や口に近接するのを避けて、良好な呼吸を維持するためである。各側部パッド３０の内壁面３２には、貫通孔穴３１を覆い隠すカバー布３３が取付けられている。カバー布３３は、通気性および音の通過性が良好な材質で形成されている。
【００１８】
各貫通穴３１には、スピーカーユニット４０が配置されている。貫通穴３１をスピーカーユニット４０で塞ぐことによって、頭部保護パッド１０の良好な遮音性を維持できる。各貫通穴３１の外側開口となる各側部パッド３０の外壁面には、貫通穴３１を覆い隠す蓋３４が開閉可能に取付けられている。
【００１９】
スピーカーユニット４０は、ＣＤプレーヤーやＭＤプレーヤー等のオーディオ装置から供給される音声信号を音に変換するものである。オーディオ装置は、頭部保護パッド１０から離れた位置に設置しても良いが、図示した実施形態では、上部パッド部２０の受入凹部２１内にオーディオ装置５０を収容している。上部パッド部２０の受入凹部２１上には、開閉可能な蓋２２が設けられている。
【００２０】
上部パッド部２０内のオーディオ装置５０と、各側部パッド部３０内のスピーカーユニット４０とは、信号線６１を介して電気的に接続されている。図示した実施形態では、上部パッド部２０および各側部パッド部３０に、信号線６１を収納する配線溝６０が設けられている。
【００２１】
なお、図示した実施形態では、オーディオ装置５０とスピーカーユニット４０とを信号線で接続したが、それに代えて無線で信号授受をするように構成してもよい。
【００２２】
前述したように、頭部保護パッド１０は、好ましくは、防音性に優れた材質のもので形成されるが、時には、乳幼児に外部の音を聞かせてやりたいこともある。その場合には、貫通穴３１内のスピーカーユニット４０を取外せば、音の通過が可能となる。
【００２３】
以上のように、上述し図示した好ましい実施形態の頭部保護パッド１０によれば、睡眠の妨げとなる騒音やノイズを遮断することにより乳幼児に快適な睡眠環境を提供することができるとともに、心休まる温かい音を聞かせてあげることにより乳幼児の気持ちを落ち着かせ、心地良さを提供できる。
【００２４】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００２５】
この考案は、快適な睡眠環境を提供することができる育児器具用頭部保護パッドとして有利に利用され得る。
【図面の簡単な説明】
【００２６】
【図１】この考案の一実施形態である頭部保護パッドを示す斜視図である。
【図２】図１に示した頭部保護パッドの縦断面図である。
【符号の説明】
【００２７】
１０  頭部保護パッド、２０  上部パッド部、２１  受入凹部、２２  蓋、３０  側部パッド部、３１  貫通穴、３２  抉れた内壁面、３３  カバー布、３４  蓋、４０  スピーカーユニット、５０  オーディオ装置、６０  配線溝、６１  信号線。
【図１】
0003126894.tif 000003
【図２】
0003126894.tif 000004